(57)【要約】      （修正有）【課題】  より効果的な電磁波の遮蔽手段を有する保護材を提案すると共に、その保護材を使ったＩＣカード用のケースを提供する。【解決手段】  非接触型記録媒体の保護材１は、織編物生地２の表面側３に電磁波遮断層４を、裏面側５に電磁波吸収層６を有する。また、ＩＣカード用ケース８は保護材１を用いてカード収納部１０を形成するものであり、カード９はカード収納部１０から外部に露出しないと共に、外部と連通する隙間の発生を阻止した袋体に形成した。【選択図】図１
2006341871.tif 000002
【特許請求の範囲】
【請求項１】
織編物生地の表面側に電磁波遮断層を、裏面側に電磁波吸収層を有する非接触型記録媒体の保護材。
【請求項２】
電磁波遮断層が金属箔である請求項１記載の非接触型記録媒体の保護材。
【請求項３】
電磁波吸収層が炭素繊維である請求項１または２記載の非接触型記録媒体の保護材。
【請求項４】
炭素繊維が植物繊維を原料とする糸で製成した織編物の炭化シートである請求項３記載の非接触型記録媒体の保護材。
【請求項５】
請求項１乃至４記載の非接触型記録媒体の保護材を用いて、カード収納部を形成したＩＣカード用ケース。
【請求項６】
カードがカード収納部から外部に露出しないと共に、外部と連通する隙間の発生を阻止した袋体に形成した請求項５記載のＩＣカード用ケース。
【発明の詳細な説明】
【技術分野】
【０００１】
本発明は電波信号によりデータの授受を行う非接触型ＩＣカード等の電磁波遮蔽を目的とする非接触型記録媒体の保護材およびＩＣカード用ケースに関するものである。
【背景技術】
【０００２】
今日ＩＣを利用したカードが多方面で使用されている。
この種のＩＣに内蔵する記憶素子へのデータの読み書き方式として、接触型と非接触型とがある。
しかし、電磁波を用いた通信方式により、接続端子の代わりに非接触状態で通信を可能にする結合手段を持つ非接触型の普及が盛んとなっている。
【０００３】
この非接触型のＩＣカードの通信方式は電磁波を用いるため、外部から悪意をもった者が接近して、データの不正取得、改質や破壊する虞があり、また、不特定の電磁波によって、誤作動によるデータの読み出し、書き込み、書き換えや破壊の可能性もある。
【０００４】
そこで、ＩＣカードを収容するケース等に、電磁波を遮断する部材やシートを設けたものがあり、特開２０００−３００１４号はケースの一部に電磁波を遮断する部材を設け、特開２００１−２５６４５０号はケース収納部の内面に導電シート層を設け、特開２００３−３００５７９号は折り畳み型の容器の収納部と第２折り畳み部に電磁波遮断シートを備えたものとし、更に特開２００４−１８８２１５号ではカードを覆って電磁波を遮蔽する電磁波シールド手段を備えたものとしている。
【特許文献１】特開２０００−３００１４号公報
【特許文献２】特開２００１−２５６４５０号公報
【特許文献３】特開２００３−３００５７９号公報
【特許文献４】特開２００４−１８８２１５号公報
【発明の開示】
【発明が解決しようとする課題】
【０００５】
そこで、本発明はより効果的な電磁波の遮蔽手段を有する保護材を提案すると共に、その保護材を使ったＩＣカード用のケースを提供せんとするものである。
【課題を解決するための手段】
【０００６】
本発明の非接触型記録媒体の保護材は、織編物生地の表面側に電磁波遮断層を、裏面側に電磁波吸収層を有するものとしたものであり、電磁波遮断層が金属箔、電磁波吸収層が炭素繊維、或いは植物繊維を原料とする糸で製成した織編物を炭化したものとしてもよい。
【０００７】
また、ＩＣカード用ケースは上記保護材を用いてカード収納部を形成するものであり、カードがカード収納部から外部に露出しないと共に、外部と連通する隙間の発生を阻止した袋体に形成したものである。
【発明の効果】
【０００８】
本発明の非接触型記録媒体の保護材は、織編物生地の表面側に電磁波遮断層を、裏面側に電磁波吸収層を有するものとしたものであるから、電磁波の遮蔽を遮断と吸収の二つの異なった手段で行うためその作用効果を大いに期待できるものである。
即ち、基材であるの織編物生地の表面側に電磁波を遮断層有するから、先ず遮断作用を行い、それでも織編物生地を通過した電磁波は裏面側の電磁波吸収層で吸収減衰するものである。
したがって、外部からの悪意または不特定の電磁波によって、データの不正取得、改質や破壊作動によるデータの読み出し、書き込み、書き換えや破壊の阻止ならびに防止を行えるのである。
また、織編物生地を基材としているため、切断や折り曲げが自在であるから成形加工が容易である効果がある。
【０００９】
そして、この保護材を用いてカードケースを形成すれば、電磁波の遮蔽効果を得られるのである。
この場合、電磁波の進入はあらゆる方向からの可能性があるから、収納部を外部と連通する隙間の発生を阻止した袋体に形成することで、電磁波は収納部内へ侵入するためには必ず本発明の保護材を通過しなければならなくなり、データの不正取得、改質や破壊作動によるデータの読み出し、書き込み、書き換えや破壊の阻止ならびに防止を行えるのである。
【発明を実施するための最良の形態】
【００１０】
本発明の実施の形態を図面に基づいて説明する。
図１は本発明に係る非接触型記録媒体の保護材の一実施の形態を示す断面図である。
保護材１は、基布２の表面側３（使用時に外側や表側の面となるように位置決めするものとする。）に電磁波遮断層４を設け、裏面側５（使用時に内側や裏側の面となるように位置決めするものとする。）に電磁波吸収層６を設けたものである。
【００１１】
基布２は織物地や編物地であり、糸の素材や太さ等に限定は無く、各種の糸を単独で又は複数の種類の糸を使用してもよく、また、組織についても自由に選択して織編できるものである。
【００１２】
電磁波遮断層４は、金属、金属系繊維、金属膜を塗布又は蒸着して形成したもの、導電性の金属、例えばアルミニウム、鉄、ニッケル、銅等から成る箔状、板状、網状のシートや複合シート、また、金属粉や導電性繊維を樹脂に混入させてコーティングしたもの、或いは、樹脂フィルムに伝導性金属製金網を当着したもの等があげられる。
【００１３】
電磁波吸収層６は炭素繊維、或いは植物繊維を原料とする糸で製成した織編物を炭化したシートがあげられる。
炭化したシートの織物地は、植物繊維を原料とする糸で織ったものであり、植物繊維とは綿、麻やスフが挙げられ、単糸、撚り合わせ糸を問わず、混紡糸や交撚糸でもよく、また、同一の糸である必要もなく異なる糸を使用しても良い。
更に、組織につても限定はなく、炭化してもその組織を維持できる太さの糸と組織であればよい。
織物地に代え編物地を用いる場合も同様である。
【００１４】
保護材１は図２に示すように、電磁波遮断層４および電磁波吸収層６の外面に布７、７を接着して使用する。
図３は、保護材１の使用状態を示す断面図であり、板材、樹脂板等１４の表面に貼着し、例えばデータの不正取得を防止するために構築する現金自動支払機の周囲壁材に使用するものである。
【００１５】
図４は、ＩＣカード用ケース８を示す平面図であり、図５はその使用状態を示す断面図である。
収容部１０はカード９の全体が収容でき、カード９が露出しない大きさを有する収容部１０の開口部１１を完全に塞ぐ覆い部１２より成り、全て保護材１で形成されている。
覆い部１２と、折り返した時に当接部となる収容部１０には互いに係止手段１３を設けてある。
係止手段１３には、例えば面テープが考えられる。
【００１６】
カード９は、収容部１０内に完全に収容され外部に露出することが無く、出し入れ口の開口部１１は、覆い部１２で塞がれるため電磁波が進入する隙間が発生せず、データの不正取得を防止出来るのである。
【００１７】
図４及び図５では単独のＩＣカード用ケース８を示しているが、複数枚のカードを収容する収容部を形成することも出来ることは勿論、財布の一部に設けることも可能である。
【図面の簡単な説明】
【００１８】
【図１】本発明の一実施の形態を示す保護用基材の断面図である。
【図２】本発明の一実施の形態を示す他の保護用基材の断面図である。
【図３】保護用基材１の使用状態を示す断面図である。
【図４】ＩＣカード用ケースを示す平面図である。
【図５】ＩＣカード用ケースの使用状態を示す断面図である。
【符号の説明】
【００１９】
１  保護材
２  基布
３  表面側
４  電磁波遮断層
５  裏面側
６  電磁波吸収層
７  布
８  ＩＣカード用ケース
９  カード
１０  収容部
１１  開口部
１２  覆い部
１３  係止手段
１４  樹脂板等
【図１】
2006341871.tif 000003
【図２】
2006341871.tif 000004
【図３】
2006341871.tif 000005
【図４】
2006341871.tif 000006
【図５】
2006341871.tif 000007